(57)【要約】【課題】  障子を横引きする際に、障子の大きさにかかわらず十分に指をかけることができて開閉が容易な障子用の引き手、及びそのような引き手を備えた障子を提供する。また、障子を横引きして重ね合わせる際に障害とならない障子用の引き手、及びそのような引き手を備えた障子を提供する。【解決手段】  細長の形状を有する障子用の引き手であって、この引き手を障子に取り付けた際に障子紙表面と接することになる面に、障子の複数の横桟がそれぞれ嵌る複数の溝と、取り付けられた障子を横引きするために指をかけることができる堀込みとが形成された障子用引き手が提供される。また、このような障子用引き手が上記の複数の桟を跨いで取り付けられており、堀込みに面した障子紙部分が切り取られている障子が提供される。【選択図】  図２
0003115374.tif 000002
【実用新案登録請求の範囲】
【請求項１】
細長の形状を有する障子用の引き手であって、該引き手を障子に取り付けた際に障子紙表面と接することになる面に、障子の複数の横桟がそれぞれ嵌る複数の溝と、取り付けられた障子を横引きするために指をかけることができる堀込みとが形成されていることを特徴とする障子用引き手。
【請求項２】
前記複数の溝が２つの溝であって、前記堀込みが、該２つの溝の間に形成されていることを特徴とする請求項１に記載の障子用引き手。
【請求項３】
請求項１又は２に記載の障子用引き手が、前記複数の横桟を跨いで取り付けられており、前記堀込みに面した障子紙部分が切り取られていることを特徴とする障子。
【考案の詳細な説明】
【技術分野】
【０００１】
本考案は、横引きして開閉する障子、及びこのような障子に用いられる引き手に関する。
【背景技術】
【０００２】
従来、横引きする障子の開閉は、障子の縦框に形成された堀込みからなる堀込み引き手に指をかけて行われてきた。この堀込み引き手は、障子面から出っ張っていないので、複数の障子を例えば一方向に重ねるように横引きしても、一切障害とはならない。すなわち、堀込み引き手によれば、障子を自由に重ね合わせることができる。
【考案の開示】
【考案が解決しようとする課題】
【０００３】
しかしながら、障子の大きさ又はデザインによっては、縦框の幅が相当に狭い場合もあり得る。従って、その狭さの程度次第では、引き手用の堀込みの幅も、指先が十分にかかるほど広くとれない場合が生じる。また、障子の障子紙が貼られた側においては、桟等の指のかかる箇所がないので、堀込み引き手は障子の横引きのために必須となる。しかしながら、障子紙の糊代が縦框にも及ぶ場合、縦框に十分な幅を持った堀込みを形成するのが、さらに困難となる。
【０００４】
また、障子の引き手の位置に関しても、例えば、縦框付近に家具が置かれている等の事情があれば、縦框よりも若干中央寄りの位置に引き手がある方が扱いやすい場合もある。さらに、障子の移設場所又は住人の身長に合わせて、引き手の高さを変更したい場合も生じる。しかしながら、一度、縦框に形成した堀込みの位置を変更することは容易ではなかった。
【０００５】
従って、本考案の目的は、障子を横引きする際に、障子の大きさにかかわらず十分に指をかけることができて開閉が容易な障子用の引き手、及びそのような引き手を備えた障子を提供することにある。また、本考案の他の目的は、障子を横引きして重ね合わせる際に障害とならない障子用の引き手、及びそのような引き手を備えた障子を提供することにある。さらに、本考案のさらなる他の目的は、障子の使用状況に合わせて、後付けすることができ、さらにその位置を変更することができる障子用の引き手、及びそのような引き手を備えた障子を提供することにある。
【課題を解決するための手段】
【０００６】
本考案によれば、細長の形状を有する障子用の引き手であって、この引き手を障子に取り付けた際に障子紙表面と接することになる面に、障子の複数の横桟がそれぞれ嵌る複数の溝と、取り付けられた障子を横引きするために指をかけることができる堀込みとが形成された障子用引き手が提供される。ここで、これらの複数の溝が２つの溝であって、堀込みがこれらの２つの溝の間に形成されていることが好ましい。
【０００７】
このような構成を有する本考案による引き手は、障子の複数の横桟を複数の溝にそれぞれ嵌めることによって、これらの横桟を跨いで障子に確実に取り付けられる。この際、この引き手の大きさは、相当程度自由に設定可能となる。その結果、この障子用引き手において、障子を横引きするための指をかけるのに十分な幅及び長さを持った堀込みを確実に形成することができる。
【０００８】
また、これらの複数の溝が２つの溝であって、堀込みが、これらの２つの溝の間に形成されている場合、少なくとも隣接する横桟間の距離よりも一回りだけ小さい堀込みを形成することができる。ここで、通常用いられている組子のパターンである横繁障子、縦繁障子、大荒障子及び吹寄障子等のいずれにおいても、隣接する横桟間の距離は指が十分に入る程度以上であるので、十分な大きさの堀込みが確保される。
【０００９】
本考案によれば、また、上述した障子用引き手が、上記の複数の横桟を跨いて取り付けられており、堀込みに面した障子紙部分が切り取られている障子が提供される。
【００１０】
このように、堀込みに面した障子紙部分が切り取られているので、障子紙が貼られていて桟等の指のかかる箇所がない側の障子面に、この堀込みが露出される。これにより、この堀込みを引き手として障子を横引きすることができる。また、この堀込みの位置も、障子用引き手の取り付け場所によって相当程度自由に設定することができる。また、本考案による引き手は、障子紙側の障子面から一切出っ張っておらず、また、取り付けた側の、縦横の框の上面が形成する障子面からも出っ張らないように調整することが十分に可能である。その結果、障子を横引きして重ね合わせる際にも障害とならない。なお、桟が出ている障子面側から障子を開閉する場合においても、本考案による引き手本体に指をかけることによって、障子の横引きが容易になる。すなわち、引き手本体として、十分な大きさと適切な位置が確保されるので、例えば高齢者にも大きな負担をかけずに横引きが可能となる。従って、本考案による障子用引き手及び障子は、高齢者向け住宅にも適している。
【００１１】
さらにまた、本考案による障子用引き手は、障子の使用状況に合わせて、障子に後付けすることができ、さらにその位置を相当程度自由に変更することができることが明らかである。
【考案の効果】
【００１２】
以上のように、本考案による障子用引き手においては、障子を横引きするための指をかけるのに十分な幅及び長さを持った堀込みを形成することができる。また、この引き手を備えた障子においては、障子紙が貼られた側からも、障子を横引きして開閉することが可能となる。
【００１３】
さらに、本考案による障子用引き手は、障子の使用状況に合わせて障子に後付け可能であり、堀込みの位置も相当程度自由に設定することができる。また、この引き手を備えた障子は、障子を横引きして重ね合わせる際に障害とならない。
【考案を実施するための最良の形態】
【００１４】
図１は、本考案による障子用引き手の一実施例を示す。同図によれば、引き手１は、スプルス材、米ヒバ材、杉材又は檜材等で形成されており、障子の２つの横桟がそれぞれ嵌る２つの溝２と、取り付けられた障子を横引きするために指をかけることができる堀込み３とが、同一の面４に形成されている。この面４は、障子に取り付けられた際に障子紙表面と接する面となる。引き手１の幅Ｗ１は、相当程度自由に設定可能であるので、堀込み３の幅も指をかけるのに十分なものとすることができる。２つの溝２の間隔Ｄ１は、取り付け先の障子における横桟の間隔Ｄ２（図２（Ａ））と同一に設定されている（Ｄ１＝Ｄ２）。すなわち、２つの溝２の間隔を取り付け先の障子に合わせて設定することができるので、引き手１が、既存の障子に合わせて後付け可能となる。なお、溝２は、安定した固定のために少なくとも２つ設けられていればよいが、当然に３つ以上であってもよい。
【００１５】
図２は、本考案による障子用引き手を取り付けた障子の一実施例を示す。図２（Ａ）によれば、図１に示した引き手１が、面４を障子５の障子紙表面７に合わせるようにして、しかも２つの横桟６を２つの溝２のそれぞれに嵌め込むように取り付けられる。必要であれば、２つの横桟６と２つの溝２とを接着剤等を用いて固着してもよい。さらに、面４のうち２つの溝２及び堀込み３以外の部分に糊等を付けて面４の糊付けした部分と障子紙表面７とを接着することが好ましい。
【００１６】
図２（Ｂ）は、このように引き手１を取り付けた障子５を、障子紙が貼られていて桟等が表に出ていない側からみた斜視図である。この障子紙側においては、堀込みに面した障子紙部分８が切り取られているので、堀込み３が露出している。その結果、この露出した堀込みに指をかけることによって、この障子紙側からも、障子５を横引きして開閉することができる。
【図面の簡単な説明】
【００１７】
【図１】本考案による障子用引き手の一実施例を示す。
【図２】本考案による障子用引き手を取り付けた障子の一実施例を示す。
【符号の説明】
【００１８】
１  引き手
２  溝
３  堀込み
４  面
５  障子
６  横桟
７  障子紙表面
８  障子紙部分
【図１】
0003115374.tif 000003
【図２】
0003115374.tif 000004